(57)【特許請求の範囲】
【請求項１】
容器本体と、前記容器本体内に収納される内容器と、前記内容器内の液体を加熱する加熱手段と、前記容器本体の上方に設けられる蓋体を有する電気ポットであって、
前記蓋体内には、前記蓋体と別体で、導入した蒸気を水にして回収する蒸気回収ユニットを有し、
前記蒸気回収ユニットは、入口、蒸気及び水が通る通路、水を溜めるトラップ部及び出口を備え、
前記蒸気回収ユニットは、水平部及び傾斜部を有することを特徴とする電気ポット。
【発明の詳細な説明】
【技術分野】
【０００１】
本願発明は、電気ポットの蓋体内部に設けられる蒸気及び結露水が通る通路構造に関するものである。
【背景技術】
【０００２】
従来の電気ポットは、容器本体内に水を入れる内容器を有し、この内容器内の水をその底部外面に設けられるヒータ等の加熱手段によって加熱し、加熱沸騰したお湯を容器本体の底部に設けられる電動ポンプにより給湯通路を介して給湯口より給湯するもので、多くの家庭で用いられている。
【０００３】
電気ポットには、蓋体の内部に内容器内と蒸気口とを連通する蒸気通路を設け、余分な蒸気を外部に排出するようにしたものが知られている（例えば、特許文献１参照）。また、この蒸気通路を長くして蒸気温度を下げて外部に排出することも考えられる。
【０００４】
ところで、 蒸気は温度が下がると凝縮して結露水となり、蒸気通路に溜まることになり、例えば、蒸気通路が長めのものでは、溜まる水も多くなる。このような水は、電気ポットが通常の設置状態、即ち、立設状態にあれば、格別問題は生じないが、例えば、蒸気口が下になる形態で電気ポットが傾斜したり、或いは転倒したりすると、蒸気通路内に溜まった水が蒸気口から外部に排出されるという問題が生じる。
【先行技術文献】
【特許文献】
【０００５】
【特許文献１】実開昭６３−１７９９１６号公報
【発明の概要】
【発明が解決しようとする課題】
【０００６】
本願発明は、上記欠点を解消するもので、蒸気及び水が通る通路にトラップ部を設け、電気ポットが通路の出口側に傾くと通路内の水をトラップ部に溜めるようにすることにより、通路出口より水を外部に排出しないようにすることを目的とするものである。
【課題を解決するための手段】
【０００７】
上記目的を達成するため、本願発明は以下の構成を採用する。
【０００８】
請求項１に係る発明では、容器本体と、前記容器本体内に収納される内容器と、前記内容器内の液体を加熱する加熱手段と、前記容器本体の上方に設けられる蓋体を有する電気ポットであって、前記蓋体内には、前記蓋体と別体で、導入した蒸気を水にして回収する蒸気回収ユニットを有し、前記蒸気回収ユニットは、入口、蒸気及び水が通る通路、水を溜めるトラップ部及び出口を備え、前記蒸気回収ユニットは、水平部及び傾斜部を有する構成。
【発明の効果】
【０００９】
請求項１に係る発明では、電気ポットが出口側に傾いたり、転倒したり、または、開蓋時に蒸気回収ユニット内の結露水が外部に排出する弊害を防止することができる。
【００１０】
また、蒸気回収ユニットを水平部及び傾斜部で形成することにより、上下方向の高さを短くすることができる。また、通路の出口を入口より高く、且つ途中経路は、入口側から出口側に向かって高さが低くならないようにすると、通路内に溜まった水は、水の自重で自然に入口側に戻ることができ、通路内に所定以上の水が溜まるのを防止することができる。
【００１１】
その結果、例え、電気ポットが通路の出口側に傾斜したり、或いは転倒したとしても、蒸気通路内に溜まる水は少ないため、通路内に残った水をトラップ部でより確実に捕らえることができ、水の外部への排出をより確実に防止することができる。
【図面の簡単な説明】
【００１２】
【図１】電気ポットの全体断面図
【図２】電気ポットの蓋体の拡大断面図
【図３】蓋上部材を外した蓋体を斜め上方から見た斜視図
【図４】蓋下部材の円形リング近傍を下から見た図（破線は内蓋部材の蒸気口を便宜的に示す）
【図５】蓋体内に設けられる蒸気回収ユニットの側面図
【図６】蓋体内に設けられる蒸気回収ユニットを上下に分離した状態を上方から見た斜視図
【図７】蒸気回収ユニットの下ケースの平面図（白抜き矢印は蒸気の流れを示す。）
【図８】蒸気回収ユニットが出口側に傾斜或いは転倒した場合の状態を示す図（図の上方は重力方向の上方で、図の下方は重力方向の下方を示す。黒塗り矢印は結露水の流れを示す。）
【図９】蒸気回収ユニットが入口側に傾斜、転倒或いは蓋体を開いた場合の状態を示す図（図の上方は重力方向の上方で、図の下方は重力方向の下方を示す。黒塗り矢印は結露水の流れを示す。）
【図１０】通常時の内容器から蒸気センサまでの蒸気の流れを示す図
【図１１】通常時の蒸気センサからの蒸気回収ユニット内への蒸気の流れと、蒸気回収ユニットから蒸気センサへの結露水の流れを示す図
【図１２】蓋体開蓋時の蒸気回収ユニット内の結露水の流れを示す図（図９とほぼ同様の図）
【実施例】
【００１３】
以下、添付の図面を参照して、本願発明の実施の形態について説明する。
【００１４】
図１に電気ポットの全体断面図示し、図２に電気ポットの蓋体の一部拡大断面図を示し、図３に蓋体内に蒸気回収ユニットを組み付けた斜視図を示し、図４に蓋下部材の下面の蒸気の流れを示し、図５乃至図７に蒸気回収ユニットの詳細を示し、図７乃至図１０に蒸気並びに水の流れを示す。なお、給湯口側を前方側、給湯口側と反対側のヒンジ部側を後方側と呼ぶ。
【００１５】
電気ポットＰは、貯湯用の内容器３を備えた容器本体１と、該容器本体１を開閉する蓋体２と、前記内容器３を加熱する加熱手段としての電気ヒータ４と、前記内容器３内の湯を給湯口５より給湯するための給湯通路６と、該給湯通路６を介して湯を送り出す電動ポンプ７を備えて構成される。また、容器本体１の外周部には、該ポットを持ち運びするための取手２４が設けられている。
【００１６】
前記容器本体１は、外周面を構成する合成樹脂製の外ケース８と、内周面を構成する前記内容器３と、前記外ケース８と内容器３とを結合する合成樹脂製の環状の肩部材９と、底面を構成する合成樹脂製の底部材１０及び該底部材１０の外周上に形成される溝内に収納され、容器本体１を回転する回転体１１からなる。
【００１７】
前記肩部材９のリング状の内壁部９ａは、若干内側に傾斜されており、内壁部９ａの後方側で、後記するシールパッキン３８が当接する箇所には、蒸気センサ２５が配置される。また、肩部材９には、略半円弧状の取手２４が設けられる。
【００１８】
前記内容器３の底部には、雲母板に発熱体を保持させてなるマイカヒータ等の電気ヒータ４が取り付けられ、その底部中央には内容器３内の湯温を検出する湯温検出手段としての湯温センサー１２が設けられ、加熱及び保温制御のために用いられる
前記給湯口５が設けられるポット前方側の上面には、図示しない表示部及び各種スイッチボタンが配置され、タイマー設定ならびに温度表示等の表示がなされる。また、前方側の下部空間には、転倒流出止水弁１３が設けられ、ポットが傾斜ならびに転倒した場合に、給湯通路６を閉鎖し、熱い湯が外部に流出しないようにした安全対策が施されている。
【００１９】
前記蓋体２は、合成樹脂製の蓋上部材１４と該蓋上部材１４に対して図示しないビス等により結合される合成樹脂製の蓋下部材１５等とを有し、更に該蓋下部材１５の下部には、内容器３の開口端に対向し、該開口端の蓋としての機能をする金属製の内蓋部材２１が設けられ、前記肩部材９の後部に設けられたヒンジ部２０を介して開閉自在に支持される。
【００２０】
前記蓋上部材１４は、前方側が矩形状で、後方側が台形状の平面視略６角形状の平板状の部材であり、その前方側の中央部には図３に示すように平面視矩形状のロック部材１４ａが設けられ、このロック部材１４ａの前方側を下方に押圧することにより蓋体２を開放する。
【００２１】
前記蓋下部材１５は、樹脂製の断面略お椀形状で、且つ平面視略円形状を呈し、図示されないビス等により蓋上部材１４に一体的に取り付けられる。蓋下部材１５は、その底部に上方に突き出る形態で円筒状凹部１７が設けられるとともに、その円筒状凹部１７内には、円筒状凹部１７の内径より小さい外径を有し、且つ円筒状凹部１７の高さより若干高い高さを有する円形リブ１６が設けられる。
【００２２】
図４に示すように、この円形リブ１６の前方側には、矩形状の小さな切欠１８が設けられるとともに、円形リブ１６と円筒状凹部１７との間の空間Ｓの後方側には、蒸気導出口１９が設けられる。
【００２３】
蓋下部材１５の下方には、上記したように内蓋部材２１が設けられる。この内蓋部材２１には、凹嵌部２２が形成されるとともに、この凹嵌部２２は、蓋下部材１５の円形リブ１６内に嵌入する形態で取付けられる。
【００２４】
前記凹嵌部２２には、図４で破線で示すように、複数、例えば３個の蒸気口２２ａが設けられており、内容器３内の蒸気は、図２及び図４で矢印（１）で示すように、３個の蒸気口２２ａから円形リブ１６内に入り、次いで矢印（２）で示すように前方側の切欠１８から、円形リブ１６と円筒状凹部１７との間の空間Ｓに入り、矢印（３）で示すように空間Ｓを後方側に迂回して蒸気導出口１９から後記蒸気回収ユニット３０に流入する。
【００２５】
前記蓋上部材１４と前記蓋下部材１５との間には、その上方に空間を残して、発泡スチロール等の断熱材２３が設けられ、蓋体２の断熱を行う。そして、断熱材２３の上方の残された空間内に、図１乃至図３に示すように、蒸気回収ユニット３０が配置される。この蒸気回収ユニット３０を断熱材２３の上方に配置するのは、蒸気回収ユニット３０内の蒸気が冷え易くして、できるだけ早く結露水にするためである。
【００２６】
前記蒸気回収ユニット３０は、蒸気を導入し、導入した蒸気を水にして回収する樹脂製の部材であり、蒸気の入口と出口を有するとともに、その内部に蛇行する或いは左右方向にジグザグ状の複数の通路及び複数のトラップ部を有しており、入口から導入する蒸気を内部の通路内で全て結露水にするものである。そのため、出口まで蒸気が行くことはなく、出口は圧力を外部に開放するための圧力開放口として機能する。
【００２７】
蒸気回収ユニット３０は、上ケース３１及び下ケース３２からなる。上ケース３１及び下ケース３２は、ほぼ同形であり、それぞれの外端部を当接して接着剤で一体化するものである。
【００２８】
蒸気回収ユニット３０は、その中央に位置する前方側が略直線（実際は中央でわずかに折れ曲がったく字状）で後方側が円弧状の半円弧状部３３と、その半円弧状部３３の略直線側の一端部寄りから前方側に伸びる前後方向に細長い略矩形の矩形状部３４と、その半円弧状部３３の円弧状側の中央から後方側に伸びる矩形状の舌状部３５とを有する。
【００２９】
そして、前記舌状部３５は、半円弧状部３３の中央から後方側に伸びる直線部３５ａと、直線部３５ａの後方端の傾斜部３５ｂを有する。この傾斜部３５ｂは、上ケース３１に形成される上傾斜部３５ｂ１と、下ケース３２に形成される下傾斜部３５ｂ２とからなり、上傾斜部３５ｂ１は、下傾斜部３５ｂ２の略半分の長さであり、下傾斜部３５ｂ２の上方に当接される。また、下傾斜部３５ｂ２は、上傾斜部３５ｂ１の略倍の長さを有し、左右方向に２個の開孔３６、３６を有している。
【００３０】
そして、蒸気回収ユニット３０は、蓋体２内に配置される。その配置形態を図５に示す。蒸気回収ユニット３０が配置されると、矩形状部３４は水平状態になり、半円弧状部３３及び舌状部３５は、傾斜状態になる。即ち、蒸気回収ユニット３０の出口は、入口より高く、且つ途中経路は、入口側から出口側に向かって高さが低くならないようにされる。蒸気回収ユニット３０の取付けは、蓋体２内に形成される空間に蒸気回収ユニット３０を嵌合し、下ケース３２の舌状部３５に左右に張り出して形成される取付部３９ａ、３９ａのビス穴３９ｂ、３９ｂにビスを挿入し、そのビスを蓋下部材１５に螺合することにより行われる。
【００３１】
なお、矩形状部３４も半円弧状部３３及び舌状部３５と同様の傾斜状態にしてもよい。しかし、すべてを傾斜状態にすると、蒸気回収ユニット３０の上下方向の長さが長くなるのでこのような形態を採用している。
【００３２】
また、舌状部３５の傾斜部３５ｂが対向する箇所の蓋下部材１５には、下傾斜部３５ｂ２に設けられる２個の開孔３６、３６を合わせた面積より大きい面積の矩形状開孔３７が設けられる（図２、図１０及び図１１参照）とともに、この矩形状開孔３７には、略同じ大きさのシールパッキン３８がその外周を矩形状開孔３７の内周端に嵌合する形態で取り付けられている。
【００３３】
そして、蒸気回収ユニット３０が蓋体２内に配置されると、傾斜部３５ｂは、シールパッキン３８の一方の面に水密状に当接される。なお、蓋体２の閉蓋時、シールパッキン３８の他端は、蒸気センサ２５が配置される肩部材９のリング状の内壁部９ａに蒸気センサ２５がシールパッキン３８の中に入る形態で水密状に当接され（図２等参照）、シールパッキン３８内のシール空間３８ａを蒸気が反転する室としている。
【００３４】
このように、シールパッキン３８内のシール空間３８ａを蒸気が反転する室とする理由は、蒸気センサ２５をできるだけ内容器３近傍の蒸気通路に設けるためであり、この位置に蒸気センサ２５を設けることにより、水が沸騰したら直ちに蒸気を検知することができ、その結果、発生する蒸気量を低減することができるようになる。
【００３５】
そのため、本発明の電気ポットは、蒸気センサ２５が蒸気を検知したら直ちに電気ヒータ４への通電量を低減するか、或いはオフする制御機能を有している。別言すれば、本発明は、内容器３内の水を沸騰させるが沸騰検知を早く行って蒸気量を減らし、少ない蒸気を蒸気回収ユニット３０で回収することにより電気ポットＰの蒸気レス機能を高めるものである。このように沸騰検知が早く蒸気が出る時間を少なくすることにより、それだけ省エネに資することができる。
【００３６】
前記上ケース３１は、その上面に後方側に１本の長い支持リブ３９と、前方側に３本の短い支持リブ３９を立設しており、蒸気回収ユニット３０が蓋体２内に配置されると、これらの先端は、蓋上部材１４の底面に当接して蒸気回収ユニット３０を支持する。なお、上ケース３１の通路及びトラップの形状は、下ケース３２に形成されるものとほぼ同じであり、以下においては、図６及び図７（主として図７）により説明する。
【００３７】
下ケース３２の半円弧状部３３の後方側の中央には、蒸気の入口である蒸気導入口４１を有する蒸気導入パイプ４０が垂下されており、この蒸気導入パイプ４０は、蓋下部材１５の蒸気導出口１９に対向し、蒸気導出口１９から導出する蒸気を導入する。
【００３８】
この蒸気導入口４１からの通路は以下のように形成される。即ち、蒸気導入口４１から下傾斜部３５ｂ２の一方の開孔３６（図７の左側）にかけて略く字状の前後方向の第１の前後方向通路４２が形成され、下傾斜部３５ｂ２の他方の開孔３６（図７の右側）から第１の前後方向通路４２に略平行に略く字状の第２の前後方向通路４３が形成され、それ以後、半円弧状部３３に形成される複数の傾斜通路及びトラップ部である複数のトラップ室に連通される。
【００３９】
即ち、第２の前後方向通路４３の端部は、下ケース３２の右方端で第１の折返部４４に連通し、第１の折返部４４の他端部は、左斜め下方に傾斜する第１の傾斜通路４５に連通する。そして、第１の傾斜通路４５の右側寄りの前方側（図７の下側）には、第１の連通孔５６ａを有するとともに、この第１の連通孔５６ａから右斜め下方に傾斜し、且つ第１の傾斜通路４５と鈍角の角度で交差する第１のトラップ室５６が設けられる。この第１のトラップ室５６の下方先端は行き止まり状態にされており、上方から流下する水を溜める機能を有している。
【００４０】
前記第１の傾斜通路４５の端部は、下ケース３２の左方端で第２の折返部４６に連通し、第２の折返部４６の他端部は、右斜め下方に傾斜する第２の傾斜通路４７に連通する。そして、第２の傾斜通路４７の左側寄りの前方側（図７の下側）には、第２の連通孔５７ａを有するとともに、この第２の連通孔５７ａから左斜め下方に傾斜し、且つ第２の傾斜通路４７と鈍角の角度で交差する第２のトラップ室５７が設けられる。この第２のトラップ室５７の下方先端は行き止まり状態にされており、上方から流下する水を溜める機能を有している。
【００４１】
前記第２の傾斜通路４７の端部は、下ケース３２の右方端で第３の折返部４８に連通し、第３の折返部４８の他端部は、左斜め下方に傾斜する第３の傾斜通路４９に連通する。そして、第３の傾斜通路４９の右側寄りの前方側（図７の下側）には、第３の連通孔５８ａを有するとともに、この第３の連通孔５８ａから右斜め下方に傾斜し、且つ第３の傾斜通路４９と鈍角の角度で交差する第３のトラップ室５８が設けられる。この第３のトラップ室５８の下方先端は行き止まり状態にされており、上方から流下する水を溜める機能を有している。
【００４２】
前記第３の傾斜通路４９の端部は、下ケース３２の左方端で第４の折返部５０に連通し、第４の折返部５０は、矩形状部３４の通路に連通する。即ち、第４の折返部５０は、その下端部で矩形状部３４の左側にある第４の連通孔５９ａに連通する。そして、第４の連通孔５９ａは、前後方向に設けられる第４のトラップ室５９に連通する。この第４のトラップ室５９の下方先端は行き止まり状態にされており、上方から流下する水を溜める機能を有している。
【００４３】
また、第４の折返部５０は、その下端部で矩形状部３４の右側にある第５の折返部５１に連通し、第５の折返部５１の他端部は、前後方向に伸びる第３の前後方向通路５２に連通する。そして、第３の前後方向通路５２の下端には、第５の連通孔６０ａを有するとともに、この第５の連通孔６０ａから下方に第５のトラップ室６０が設けられる。この第５のトラップ室６０の下方先端は行き止まり状態にされており、上方から流下する水を溜める機能を有している。
【００４４】
そして、前記第３の前後方向通路５２の端部は、下ケース３２の左方端で第６の折返部５３に連通し、第６の折返部５３の他端は、出口であり圧力を開放するための出口孔５４に連通する。この出口孔５４は、電気ポットＰの前方側にある給湯口５の近傍で外部に連通する。
【００４５】
蒸気の流れについて、図２、図４、図７及び図１０等により説明する。内容器３内で発生する蒸気は、図１０で示すように上昇し、内蓋部材２１の蒸気口２２ａより円形リブ１６内の空間に入り、次いで、円形リブ１６の切欠１８より空間Ｓに入り、次いで、空間Ｓから蒸気導出口１９を経て、蒸気回収ユニット３０の蒸気導入口４１に至る（図２及び図４の矢印（１）乃至（３）参照）。
【００４６】
蒸気回収ユニット３０内の蒸気の流れを図７で白抜きの矢印（図１０及び図１１では黒塗り矢印になっているが同じものである。）で示す。蒸気導入口４１から蒸気回収ユニット３０に入った蒸気（矢印（１））は、第１の前後方向通路４２及び左側の開孔３６を通ってシールパッキン３８内のシール空間３８ａに至る。そこで、蒸気センサ２５により検知され、以後の加熱が低減或いは停止される。
【００４７】
蒸気は、シール空間３８ａで反転し（矢印（２））、右側の開孔３６を通って再び蒸気回収ユニット３０内に入る。蒸気回収ユニット３０内に入った蒸気は、第２の前後方向通路４３を経て（矢印（３））第１の折返部４４で反転される。
【００４８】
次いで、第１の折返部４４で反転された蒸気は、第１の傾斜通路４５を経て（矢印（４））第２の折返部４６で反転される。
【００４９】
次いで、第２の折返部４６で反転された蒸気は、第２の傾斜通路４７を経て（矢印（５））第３の折返部４８で反転される。
【００５０】
次いで、第３の折返部４８で反転された蒸気は、第３の傾斜通路４９を経て（矢印（６））第４の折返部５０で反転される。
【００５１】
このあたりまでくると、蒸気はほとんどなくなり、昇圧された圧力は、第５の折返部５１、第３の前後方向通路５２及び第６の折返部５３を通って出口孔５４より外部の大気に放出される。そして、蒸気は、通路途中で通路壁面に結露して水になる。
【００５２】
蒸気回収ユニット３０の内部の通路形状は、図５に示すように、通常の状態ではその多くが後方側に向かって傾斜しているため、通路内の結露水は、所定量になると重力で図７で説明した蒸気の流れと逆向きに後方側に向かって流れ、蒸気導入口４１から内蓋部材２１上に落下し、図示しない開口より内容器３内に戻される。
【００５３】
電気ポットＰが通路の出口である出口孔５４側に傾斜したり、或いは転倒した場合の状態を説明する。そのような状態を図８に示す。即ち、出口孔５４が下になると、蒸気回収ユニット３０の通路内の結露水は、概略黒塗りの矢印で示すように流れる。
【００５４】
ところで、上述したように、蒸気回収ユニット３０の通路には、第１の傾斜通路４５に第１の連通孔５６ａを介して連通する第１のトラップ室５６、第２の傾斜通路４７に第２の連通孔５７ａを介して連通する第２のトラップ室５７、第３の傾斜通路４９に第３の連通孔５８ａを介して連通する第３のトラップ室５８、第４の連通孔５９ａを介して連通する第４のトラップ室５９及び第５の連通孔６０ａを介して連通する第５のトラップ室６０を有し、それぞれのトラップ室５６〜６０は、それぞれの連通孔５６ａ〜６０ａを上方にして位置するようになる。
【００５５】
そのため、各通路壁を伝わって流下したり落下したりする結露水は、図８で示すようにいずれかの連通孔５６ａ〜６０ａよりいずれかのトラップ室５６〜６０に落ち込んで溜められる。その結果、例え、電気ポットＰが通路の出口である出口孔５４側に傾斜したり、或いは転倒したとしても結露水が出口孔５４より外部に排出されることはなくなる。
【００５６】
次いで、電気ポットＰの蓋体２を開蓋した場合、別言すれば、電気ポットが通路の入口である蒸気導入口４１側に傾斜したり、或いは転倒した場合の状態を説明する。そのような状態を図９及び図１２に示す。即ち、蒸気導入口４１が下になると、蒸気回収ユニット３０の通路内の結露水は、概略図９で黒塗りの矢印で示し、図１２で破線の矢印で示すように流れる。
【００５７】
ところで、上述したように、蒸気回収ユニット３０の通路には、第１の傾斜通路４５に第１の連通孔５６ａを介して連通する第１のトラップ室５６、第２の傾斜通路４７に第２の連通孔５７ａを介して連通する第２のトラップ室５７、第３の傾斜通路４９に第３の連通孔５８ａを介して連通する第３のトラップ室５８、第４の連通孔５９ａを介して連通する第４のトラップ室５９及び第５の連通孔６０ａを介して連通する第５のトラップ室６０を有するが、それぞれのトラップ室５６〜６０は、それぞれの連通孔５６ａ〜６０ａを下方にして位置するようになる。
【００５８】
そのため、各通路壁を伝わって流下したり落下したりする結露水、並びに各トラップ室５６〜６０内の結露水は、図で示すように第２の前後方向通路４３及び開孔３６を通ってシールパッキン３８内のシール空間３８ａに至る。そして、蓋体２を開蓋時、シールパッキン３８は、肩部材９の内壁部９ａより離れて内容器３の上方で内容器３に対向する位置になるため図１２に示すように通路内の結露水のほとんどは、シールパッキン３８より内容器３内に落下することになり、外部にこぼれ落ちることはない。なお、この場合、内蓋部材２１内に結露水が残っていれば、その結露水部も図１２に示すように内容器３内に戻ることになる。
【００５９】
本願発明は、上記実施の態様の構成に限定されるものではなく、発明の要旨を逸脱しない範囲において適宜設計変更可能であることは勿論である。
【符号の説明】
【００６０】
Ｐ  電気ポット                      １  容器本体
２  蓋体                            ３  内容器
４  電気ヒータ                      ５  給湯口
６  給湯通路                        ７  電動ポンプ
８  外ケース                        ９  肩部材
９ａ  内壁部                        １０  底部材
１１  回転体                        １２  湯温センサー
１３  転倒流出止水弁                １４  蓋上部材
１４ａ  ロック部材                  １５  蓋下部材
１６  円形リブ                      １７  円筒状凹部
１８  切欠                          １９  蒸気導出口
２０  ヒンジ部                      ２１  内蓋部材
２２  凹嵌部                        ２２ａ  蒸気口
２３  断熱材                        ２４  取手
２５  蒸気センサ                    ３０  蒸気回収ユニット
３１  上ケース                      ３２  下ケース
３３  半円弧状部                    ３４  矩形状部
３５  舌状部                        ３５ａ  直線部
３５ｂ  傾斜部                      ３５ｂ１  上傾斜部
３５ｂ２  下傾斜部                  ３６  開孔
３７  矩形状開孔                    ３８  シールパッキン
３８ａ  シール空間                  ３９  支持リブ
４０  蒸気導入パイプ                ４１  蒸気導入口
４２  第１の前後方向通路            ４３  第２の前後方向通路
４４  第１の折返部                  ４５  第１の傾斜通路
４６  第２の折返部                  ４７  第２の傾斜通路
４８  第３の折返部                  ４９  第３の傾斜通路
５０  第４の折返部                  ５１  第５の折返部
５２  第３の前後方向通路            ５３  第６の折返部
５４  出口孔                        ５６  第１のトラップ室
５６ａ  第１の連通孔                ５７  第２のトラップ室
５７ａ  第２の連通孔                ５８  第３のトラップ室
５８ａ  第３の連通孔                ５９  第４のトラップ室
５９ａ  第４の連通孔                ６０  第５のトラップ室
６０ａ  第５の連通孔
【図１】
0006041020.tif 000002
【図２】
0006041020.tif 000003
【図３】
0006041020.tif 000004
【図４】
0006041020.tif 000005
【図５】
0006041020.tif 000006
【図６】
0006041020.tif 000007
【図７】
0006041020.tif 000008
【図８】
0006041020.tif 000009
【図９】
0006041020.tif 000010
【図１０】
0006041020.tif 000011
【図１１】
0006041020.tif 000012
【図１２】
0006041020.tif 000013